【事件の表示】
　特願２０１３−５２５５７２「表示装置」拒絶査定不服審判事件〔平成２５年　１月３１日国際公開、ＷＯ２０１３／０１４８８３、請求項の数（１１）〕について、次のとおり審決する。
【結　論】
　原査定を取り消す。
　本願の発明は、特許すべきものとする。
【理　由】
第１　手続の経緯
　本願は、平成２４年７月１８日（優先権主張平成２３年７月２５日、日本国）を国際出願日とする出願であって、平成２８年４月７日付けで拒絶理由通知がされ、同年５月２４日付けで手続補正がされ、同年７月２９日付けで拒絶査定（原査定）がされ、これに対し、同年１０月１７日に拒絶査定不服審判の請求がされると同時に手続補正がされたものである。
第２　原査定の概要
　原査定（平成２８年７月２９日付け拒絶査定）の概要は次のとおりである。
　この出願の請求項１−８，１１−１３に係る発明は、その出願前に日本国内又は外国において、頒布された刊行物１−２に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　＜引用文献等一覧＞
１.特開２００２−３１８５５６号公報
２.特開２００９−２５９０６３号公報
第３　本願発明
　本願請求項１−１１に係る発明（以下、それぞれ「本願発明１」−「本願発明１１」という。）は、平成２８年１０月１７日付けの手続補正で補正された特許請求の範囲の請求項１−１１に記載された事項により特定される発明であり、以下のとおりの発明である。
「【請求項１】
　行列状に配置された複数の画素を有する表示パネルと、
　前記表示パネルに対向するタッチパネルと、を備え、
　前記表示パネルは、
　隣り合う画素の間の領域である非表示部を有し、
　前記タッチパネルは、
　前記画素の行方向および前記画素の列方向のいずれか一方である第１方向に沿って形成され、少なくとも一部分が金属である複数の第１電極パターンと、
　前記画素の行方向および前記画素の列方向のいずれか他方である第２方向に沿って形成され、少なくとも一部分が金属である複数の第２電極パターンとを有し、
　前記複数の第１電極パターンおよび前記複数の第２電極パターンの前記金属の部分は、平面視において、前記表示パネルの前記非表示部内に存在し、
　前記複数の画素の各々は、前記第１方向に沿って配置された異なる色の複数のサブ画素を含み、
　前記複数のサブ画素の各々は、上部電極と、下部電極と、前記上部電極および前記下部電極の間に形成されるとともに当該画素に対応して形成された有機発光層とを含み、
　前記表示パネルは、前記有機発光層を区画するとともに前記非表示部に対応して形成された隔壁と、前記隔壁に覆われるように形成されるとともに前記上部電極と電気的に接続された補助配線とを有し、
　前記複数のサブ画素の各々は、当該サブ画素を駆動するためのトランジスタを有し、
　前記トランジスタのソース電極またはドレイン電極と前記下部電極とは、コンタクトホールにより接続され、
　平面視において、前記コンタクトホールは、前記非表示部と重なる位置に形成され、
　前記複数の第１電極パターンの各々は、前記第２方向において隣り合う前記サブ画素の間に配置され、かつ、平面視において、前記コンタクトホールに重ねて配置され、
　前記複数の第２電極パターンは、前記補助配線の上方に配置され、
　前記補助配線および前記複数の第２電極パターンの各々は、前記第１方向において隣り合う前記画素の間に配置されている
　表示装置。
　　【請求項２】
　・・・請求項１に記載の表示装置。
　　【請求項３】
　・・・請求項１または２に記載の表示装置。
　　【請求項４】
　・・・請求項３に記載の表示装置。
　　【請求項５】
　・・・請求項１〜４のいずれか１項に記載の表示装置。
　　【請求項６】
　・・・請求項５に記載の表示装置。
　　【請求項７】
　行列状に配置された複数の画素を有する表示パネルと、
　前記表示パネルに対向するタッチパネルと、を備え、
　前記表示パネルは、
　隣り合う画素の間の領域である非表示部を有し、
　前記タッチパネルは、
　前記画素の行方向および前記画素の列方向のいずれか一方である第１方向に沿って形成され、少なくとも一部分が金属である複数の第１電極パターンと、
　前記画素の行方向および前記画素の列方向のいずれか他方である第２方向に沿って形成され、少なくとも一部分が金属である複数の第２電極パターンとを有し、
　前記複数の第１電極パターンおよび前記複数の第２電極パターンの前記金属の部分は、平面視において、前記表示パネルの前記非表示部内に存在し、
　前記複数の画素の各々は、前記第１方向に沿って配置された異なる色の複数のサブ画素を含み、
　前記複数のサブ画素の各々は、上部電極と、下部電極と、前記上部電極および前記下部電極の間に形成されるとともに当該画素に対応して形成された有機発光層とを含み、
　前記表示パネルは、前記有機発光層を区画するとともに前記非表示部に対応して形成された隔壁と、前記隔壁に覆われるように形成されるとともに前記上部電極と電気的に接続された補助配線とを有し、
　前記複数の第１電極パターンおよび前記複数の第２電極パターンの少なくとも一方は、前記補助配線の上方に配置され、
　前記複数の第１電極パターンおよび前記複数の第２電極パターンの少なくとも一方は、各々の角部同士が接続された矩形状の複数の透明電極パターンと、前記複数の透明電極パターンに積層された前記金属の部分である金属線とを含み、
　前記透明電極パターンは、前記金属線からはみ出すように形成されている
　表示装置。
　　【請求項８】
　行列状に配置された複数の画素を有する表示パネルと、
　前記表示パネルに対向するタッチパネルと、を備え、
　前記表示パネルは、
　隣り合う画素の間の領域である非表示部を有し、
　前記タッチパネルは、
　前記画素の行方向および前記画素の列方向のいずれか一方である第１方向に沿って形成され、少なくとも一部分が金属である複数の第１電極パターンと、
　前記画素の行方向および前記画素の列方向のいずれか他方である第２方向に沿って形成され、少なくとも一部分が金属である複数の第２電極パターンとを有し、
　前記複数の第１電極パターンおよび前記複数の第２電極パターンの前記金属の部分は、平面視において、前記表示パネルの前記非表示部内に存在し、
　前記複数の画素の各々は、前記第１方向に沿って配置された異なる色の複数のサブ画素を含み、
　前記複数のサブ画素の各々は、上部電極と、下部電極と、前記上部電極および前記下部電極の間に形成されるとともに当該画素に対応して形成された有機発光層とを含み、
　前記表示パネルは、前記有機発光層を区画するとともに前記非表示部に対応して形成された隔壁と、前記隔壁に覆われるように形成されるとともに前記上部電極と電気的に接続された補助配線とを有し、
　前記複数の第１電極パターンおよび前記複数の第２電極パターンの少なくとも一方は、前記補助配線の上方に配置され、
　前記複数の第１電極パターンおよび前記複数の第２電極パターンの少なくとも一方は、複数の矩形状の透明電極パターンと、当該複数の透明電極パターンの角部同士を接続する前記金属の部分である金属線とを含む
　表示装置。
　　【請求項９】
　・・・請求項１〜８のいずれか１項に記載の表示装置。
　　【請求項１０】
　・・・請求項１〜９のいずれか１項に記載の表示装置。
　　【請求項１１】
　・・・請求項１〜１０のいずれか１項に記載の表示装置。」
第４　引用文献、引用発明等
１．引用文献１について
　原査定の拒絶の理由に引用された引用文献１（特開２００２−３１８５５６号公報）には、図面とともに以下の事項が記載されている。
ａ）「【０００１】
【発明の属する技術分野】本発明は、
有機エレクトロルミネセンス（ＥＬ）表示装置
各表示素子にスイッチング素子が設けられたアクティブマトリクス型
ｂ）「【００１５】
有機ＥＬパネル２の表示領域に
ガラス等の絶縁基板１０１上に映像信号線１０９と走査信号線１０７とがマトリクス状に配置され、その交差部にスイッチング素子ＳＷ１としてｎ型ＴＦＴ、映像信号電圧保持用コンデンサ１１０、駆動用制御素子ＳＷ２としてｐ型ＴＦＴ、有機ＥＬ表示素子Ｐが形成され
【００１６】
有機ＥＬ表示素子Ｐは、駆動用制御素子ＳＷ２に接続された光反射性導電膜からなる第１電極１１７と、第１電極１１７上に配置される有機発光層１２１と、有機発光層１２１を介して第１電極１１７に対向配置された第２電極１２２と、を備え
有機発光層１２１は、各表示素子Ｐを分離する黒色レジスト材料からなる厚さ３μｍの隔壁１２０の開口部１２０ｂから露出される第１電極１１７上に配置され
【００１７】この有機ＥＬ表示装置１は
第２電極１２２側を表示面とし
第２電極１２２は、光透過性を有する導電膜で構成され
【００１８】また、図３に示すように
第１電極１１７と同層に設けられた補助配線１１８と第２電極１２２とは、隔壁１２０に補助配線１１８を露出するように設けられたコンタクト部１２０ａを介して電気的に接続され
この補助配線１１８は、第１電極１１７とは隔壁１２０にて電気的に絶縁され、各表示素子Ｐの第１電極１１７を囲むよう格子状に設けられ
ｃ）「【００３１】次に、本発明の有機ＥＬ表示装置の製造方法について説明する。まず、常圧ＣＶＤあるいはプラズマＣＶＤにより、
ガラス等の絶縁基板１０１上に
アモルファスシリコン膜を堆積
【００３２】次に、アモルファスシリコン膜をエキシマレーザでアニール処理し、アモルファスシリコン膜を多結晶シリコン膜に結晶化させる。
【００３３】さらに、その多結晶シリコン膜にレジストを塗布し、露光・パターニング・エッチング処理を施し、多結晶シリコン膜を島状に形成する。
【００３４】続いて、多結晶シリコン膜を覆って全面に、ＣＶＤによりＳｉＯｘを成膜し、ゲート絶縁膜１０３を形成する。このゲート絶縁膜１０３上にゲート金属膜としてＭｏＷを堆積し、フォトリソグラフィー技術を用いてｐ型ＴＦＴ部分のゲート電極１０４を形成し、ボロン（Ｂ）をドーピングし、ｐ型ＴＦＴの多結晶シリコン膜に導電領域であるソース領域１０５、ドレイン領域１０６を形成する。
【００３５】次に、ゲート金属膜をパターニングし、ゲート配線１０７およびｎ型ＴＦＴのゲート電極１０８、映像信号線１０９の一部１０９ａ、映像信号電圧保持用コンデンサ１１０の下部電極パターン１１０ａを形成する。
【００３６】その後、ゲート電極１０８またはゲート電極形成時のレジストをマスクとして上部より燐イオン（Ｐ）をドーピングし、ｎ型ＴＦＴ部分の多結晶シリコン膜にソース領域１１１、ドレイン領域１１２を形成する。
【００３７】さらにＣＶＤ法などによりこれらの上面全部を覆うように、層間絶縁層１１３となるＳｉＯｘを成膜し、層間絶縁層１１３およびゲート絶縁膜１０３を貫通しソース領域１０５，１１１、ドレイン領域１０６，１１２等に達するコンタクトホールを設けた後、Ｍｏ／Ａｌ／Ｍｏからなる金属膜を成膜・パターニング処理し、ソース電極１１３、ドレイン電極１１４、有機ＥＬ電流供給線１１５および映像信号線１０９（１０９ｂ）、を形成する。こうして、
スイッチング素子ＳＷ１となるｎ型ＴＦＴと駆動用制御素子ＳＷ２となるｐ型ＴＦＴ、これらを組合せてなる駆動回路領域の映像信号線駆動回路Ｘｄｒ、走査信号線駆動回路Ｙｄｒが形成され
【００３８】
さらに基板全面にＳｉＮｘの絶縁層１１６を形成し、駆動制御素子ＳＷ２のソース電極１１３と接続するコンタクトホールを設けた後、
表示素子を構成する光反射性の第１電極１１７、補助配線１１８、表示領域を囲む矩形枠状に補助配線１１８と一体的に形成される第２電極電源線１１９を形成
【００３９】このように、補助配線１１８と第１電極１１７とを同一材料を用いて同一工程で形成するため、補助配線１１８を形成するための工程を特別に設けることなく補助配線１１８を作成することが可能となる。
【００４０】
また、表示素子の第１電極１１７は絶縁層１１６上に配置され、絶縁層１１６を介して駆動制御素子ＳＷ２のソース電極１１３と接続するので、第１電極１１７と駆動制御素子ＳＷ２、スイッチング素子ＳＷ１等と重ねて形成
【００４１】
次に、
表示素子の第１電極１１７に対応する位置に第１電極１１７を露出する開口部１２０ｂを有し、さらに補助配線１１８上に補助配線１１８を露出するコンタクト部１２０ａを備えた素子分離用の隔壁１２０を形成
隔壁１２０としては、
光遮蔽性を有する黒色材料であることが望ましく、
【００４２】本実施例においては、補助配線のコンタクト部１２０ａを、補助配線に沿って連続したパターンで形成したが、補助配線上に不連続にドット状に設けたパターンで形成してもよい。
【００４３】
さらに、
第１電極上の隔壁１２０の開口１２０ｂに対応する位置に有機発光層１２１を選択的に形成
有機発光層は、各色共通に形成されるホール輸送層、エレクトロン輸送層、及び各色毎に形成される発光層の３層積層で構成され
【００４４】
次に、有機発光層１２１上の基板全面に第２電極１２２として光透過性導電膜
成膜
この第２電極は、絶縁層１１６上に第１電極１１７と同層に形成される補助配線１１８とコンタクト部１２０ａを介して接続される
ｄ）図３の断面図には、駆動制御素子ＳＷ２のソース電極１１３と第１電極１１７を接続するコンタクトホールが、隔壁１２０の下に形成されること、すなわち、
平面視において、駆動制御素子ＳＷ２のソース電極１１３と第１電極１１７を接続するコンタクトホールは、隔壁１２０に重なる位置に形成される
　上記下線部及び関連箇所の記載によれば、引用文献１には、表示装置として、以下の発明（以下、「引用発明１」という。）が記載されている。
　「各表示素子にスイッチング素子が設けられたアクティブマトリクス型有機エレクトロルミネセンス（ＥＬ）表示装置であり、
　有機ＥＬパネル２の表示領域にガラス等の絶縁基板１０１上に映像信号線１０９と走査信号線１０７とがマトリクス状に配置され、その交差部にスイッチング素子ＳＷ１としてｎ型ＴＦＴ、映像信号電圧保持用コンデンサ１１０、駆動用制御素子ＳＷ２としてｐ型ＴＦＴ、有機ＥＬ表示素子Ｐが形成され、
　有機ＥＬ表示素子Ｐは、駆動用制御素子ＳＷ２に接続された光反射性導電膜からなる第１電極１１７と、第１電極１１７上に配置される有機発光層１２１と、有機発光層１２１を介して第１電極１１７に対向配置された第２電極１２２と、を備え、
　有機発光層１２１は、各表示素子Ｐを分離する黒色レジスト材料からなる厚さ３μｍの隔壁１２０の開口部１２０ｂから露出される第１電極１１７上に配置され、
　第２電極１２２側を表示面とし、第２電極１２２は、光透過性を有する導電膜で構成され、
　第１電極１１７と同層に設けられた補助配線１１８と第２電極１２２とは、隔壁１２０に補助配線１１８を露出するように設けられたコンタクト部１２０ａを介して電気的に接続され、この補助配線１１８は、第１電極１１７とは隔壁１２０にて電気的に絶縁され、各表示素子Ｐの第１電極１１７を囲むよう格子状に設けられるものであり、
　ガラス等の絶縁基板１０１上にアモルファスシリコン膜を堆積し、スイッチング素子ＳＷ１となるｎ型ＴＦＴと駆動用制御素子ＳＷ２となるｐ型ＴＦＴ、これらを組合せてなる駆動回路領域の映像信号線駆動回路Ｘｄｒ、走査信号線駆動回路Ｙｄｒが形成され、
　さらに基板全面にＳｉＮｘの絶縁層１１６を形成し、駆動制御素子ＳＷ２のソース電極１１３と接続するコンタクトホールを設けた後、表示素子を構成する光反射性の第１電極１１７、補助配線１１８を形成し、
　また、表示素子の第１電極１１７は絶縁層１１６上に配置され、絶縁層１１６を介して駆動制御素子ＳＷ２のソース電極１１３と接続するので、第１電極１１７と駆動制御素子ＳＷ２、スイッチング素子ＳＷ１等と重ねて形成し、
　次に、表示素子の第１電極１１７に対応する位置に第１電極１１７を露出する開口部１２０ｂを有し、さらに補助配線１１８上に補助配線１１８を露出するコンタクト部１２０ａを備えた素子分離用の隔壁１２０を形成し、隔壁１２０としては、光遮蔽性を有する黒色材料であることが望ましく、
　さらに、第１電極上の隔壁１２０の開口１２０ｂに対応する位置に有機発光層１２１を選択的に形成し、有機発光層は、各色共通に形成されるホール輸送層、エレクトロン輸送層、及び各色毎に形成される発光層の３層積層で構成され、
　次に、有機発光層１２１上の基板全面に第２電極１２２として光透過性導電膜を成膜し、この第２電極は、絶縁層１１６上に第１電極１１７と同層に形成される補助配線１１８とコンタクト部１２０ａを介して接続され、
　平面視において、駆動制御素子ＳＷ２のソース電極１１３と第１電極１１７を接続するコンタクトホールは、隔壁１２０に重なる位置に形成される
　エレクトロルミネセンス（ＥＬ）表示装置。」
２．引用例２について
　原査定の拒絶の理由に引用された引用文献２（特開２００９−２５９０６３号公報）には、図面とともに以下の事項が記載されている。
ａ）「【００１９】
　本発明は、導電性のナノ粒子を含むインクを印刷することによって電極を形成しており、電極の線幅を非常に狭くすることができる。電極の線幅が狭く、電極が目立ちにくい。電極をディスプレイのブラックマトリクスと重なるように配置することにより、電極を目立たなくすることができる。電極がブラックマトリクスと重なることによって、電極が不透明であっても良く、電極材料の選択幅が広がる。特に希少元素であるインジウムを含むＩＴＯの使用を避けることができ、資源の節約や製造コストの削減に寄与できる。また、スクリーン印刷やインクジェット印刷による電極形成により、従来の真空成膜とエッチングをおこなうことに比べて非常に簡単に電極が形成でき、材料の無駄も極端に少なくなる。電極の幅が狭くなることに対して、複数の電極同士を接続する冗長線を形成することによって、一の電極に形成不良が生じても、タッチパネルが不良品にならないようにできる。
【発明を実施するための最良の形態】
【００２０】
　本発明のタッチパネルおよびその製造方法について図面を用いて説明する。
【００２１】
　図１（ａ）、（ｂ）に示す
タッチパネル１０は、第１基板１２と、第１基板１２の一面に形成された第１電極１４と、第２基板１６と、第２基板１６の一面に形成された第２電極１８とを備え
【００２２】
　第１基板１２と第２基板１６は誘電体基板である。第１基板１２と第２基板１６の材料は、ガラス、ポリエステル、ポリエチレンテレフタレート、ポリカーボネート、ポリメチルメタクリレート、ポリエチレンナフタレートなどの透明材料が挙げられる。ガラスであれば厚みは約０．１〜２ｍｍであり、プラスチックフィルムであれば厚みは約１０〜２０００μｍである。
【００２３】
　図１（ａ）に示すように、
第１電極１４と第２電極１８は、線状の導体であり、その導体が複数並列に並べられ
第１電極１４と第２電極１８とは互いに直交する方向を向いて
【００２４】
　
第１電極１４と第２電極１８は、導電性のナノ粒子を含むインクによって印刷形成され
導電性のナノ粒子は銀、金、白金、パラジウム、銅、カーボン、またはそれらの混合物を含む
【００２５】
　図２に示すように、周知の
ディスプレイ２０は複数の画素２２を有し、画素２２および画素２２を構成するサブ画素２４の間にクロム系材料で形成されたブラックマトリクス２６を有
第１電極１４と第２電極１８の幅は、ブラックマトリクス２６の幅よりも狭く
タッチパネル１０がディスプレイ２０に取り付けられた状態で両電極１４，１８がブラックマトリクス２６の上に配置されるようにする
電極１４，１８とブラックマトリクス２６が重なり、電極１４，１８が不透明であっても、ディスプレイ２０の表示品位低下を防止できる
　上記下線部及び関連箇所の記載によれば、引用文献２には、ディスプレイとして、以下の発明（以下、「引用発明２」という。）が記載されている。
「タッチパネル１０は、第１基板１２と、第１基板１２の一面に形成された第１電極１４と、第２基板１６と、第２基板１６の一面に形成された第２電極１８とを備え、
　第１電極１４と第２電極１８は、線状の導体であり、その導体が複数並列に並べられ、
　第１電極１４と第２電極１８とは互いに直交する方向を向いており、
　第１電極１４と第２電極１８は、導電性のナノ粒子を含むインクによって印刷形成され、導電性のナノ粒子は銀、金、白金、パラジウム、銅、カーボン、またはそれらの混合物を含むものであり、
　ディスプレイ２０は複数の画素２２を有し、画素２２および画素２２を構成するサブ画素２４の間にクロム系材料で形成されたブラックマトリクス２６を有し、
　第１電極１４と第２電極１８の幅は、ブラックマトリクス２６の幅よりも狭く、
　タッチパネル１０がディスプレイ２０に取り付けられた状態で両電極１４，１８がブラックマトリクス２６の上に配置されるようにすることにより、電極１４，１８とブラックマトリクス２６が重なり、電極１４，１８が不透明であっても、ディスプレイ２０の表示品位低下を防止できる
　タッチパネル１０が取り付けられたディスプレイ２０。」
第５　対比・判断
１．本願発明１について
（１）対比
　本願発明１と引用発明１とを対比する。 
ア．引用発明１は、「有機ＥＬパネル２の表示領域にガラス等の絶縁基板１０１上に映像信号線１０９と走査信号線１０７とがマトリクス状に配置され、その交差部に」「有機ＥＬ表示素子Ｐが形成されるもの」であるから、引用発明１の「有機ＥＬパネル２」は、本願発明１の「行列状に配置された複数の画素を有する表示パネル」に相当する。
イ．引用発明１は、「表示素子の第１電極１１７に対応する位置に第１電極１１７を露出する開口部１２０ｂを有し、さらに補助配線１１８上に補助配線１１８を露出するコンタクト部１２０ａを備えた素子分離用の隔壁１２０を形成し、隔壁１２０としては、光遮蔽性を有する黒色材料であることが望ましく、」「第１電極上の隔壁１２０の開口１２０ｂに対応する位置に有機発光層１２１を選択的に形成」するものであるから、引用発明１の「隔壁１２０」は、本願発明１の「表示パネル」が有する「隣り合う画素の間の領域である非表示部」に相当する。
ウ．引用発明１の「表示素子」は、「隔壁１２０の開口１２０ｂに対応する位置に有機発光層１２１を選択的に形成し、有機発光層は、各色共通に形成されるホール輸送層、エレクトロン輸送層、及び各色毎に形成される発光層の３層積層で構成され」るものであるから、引用発明１の「表示素子」は、本願発明１の「複数の画素の各々」に含まれる「前記第１方向に沿って配置された異なる色の複数のサブ画素」と「複数の画素の各々」に含まれる「異なる色の複数のサブ画素」である点で一致するといえる。
エ．引用発明１の「表示素子」は、「表示素子の第１電極１１７に対応する位置に第１電極１１７を露出する開口部１２０ｂを有」する「素子分離用の隔壁１２０を形成し、」「第１電極上の隔壁１２０の開口１２０ｂに対応する位置に有機発光層１２１を選択的に形成し、」「有機発光層１２１上の基板全面に第２電極１２２として光透過性導電膜を成膜」されるものであるから、引用発明１の「第１電極１１７」は本願発明１の「下部電極」に、引用発明１の「第２電極１２２」は本願発明１の「上部電極」に、引用発明１の「有機発光層１２１」は本願発明１の「有機発光層」にそれぞれ相当し、引用発明１の「表示素子」が「第１電極１１７」、「第２電極１２２」および「有機発光層１２１」を含むことは、本願発明１の「前記複数のサブ画素の各々は、上部電極と、下部電極と、前記上部電極および前記下部電極の間に形成されるとともに当該画素に対応して形成された有機発光層とを含」むことに相当する。
オ．引用発明１の「有機ＥＬパネル２０」は、「表示素子を構成する光反射性の第１電極１１７、補助配線１１８を形成し」、「表示素子の第１電極１１７に対応する位置に第１電極１１７を露出する開口部１２０ｂを有し、さらに補助配線１１８上に補助配線１１８を露出するコンタクト部１２０ａを備えた素子分離用の隔壁１２０を形成し、隔壁１２０としては、光遮蔽性を有する黒色材料であることが望ましく、」「第１電極上の隔壁１２０の開口１２０ｂに対応する位置に有機発光層１２１を選択的に形成し、」「有機発光層１２１上の基板全面に第２電極１２２として光透過性導電膜を成膜し、この第２電極は、絶縁層１１６上に第１電極１１７と同層に形成される補助配線１１８とコンタクト部１２０ａを介して接続される」ものであるから、引用発明１の「隔壁１２０」は本願発明１の「前記有機発光層を区画するとともに前記非表示部に対応して形成された隔壁」にも相当し、引用発明１の「補助配線１１８」は本願発明１の「前記隔壁に覆われるように形成されるとともに前記上部電極と電気的に接続された補助配線」に相当し、引用発明１の「有機ＥＬパネル２０」が「隔壁１２０」および「補助配線１１８」を有することは、本願発明１の「前記表示パネルは、前記有機発光層を区画するとともに前記非表示部に対応して形成された隔壁と、前記隔壁に覆われるように形成されるとともに前記上部電極と電気的に接続された補助配線とを有」することに相当する。
カ．引用発明１は「各表示素子にスイッチング素子が設けられたアクティブマトリクス型」の表示装置であり、「映像信号線１０９と走査信号線１０７とがマトリクス状に配置され、その交差部にスイッチング素子ＳＷ１としてｎ型ＴＦＴ、映像信号電圧保持用コンデンサ１１０、駆動用制御素子ＳＷ２としてｐ型ＴＦＴ、有機ＥＬ表示素子Ｐが形成されるもの」であるから、引用発明１は、「有機ＥＬ表示素子Ｐ」は「駆動用制御素子ＳＷ２」を有しているともいい得る構成を有するものであり、当該構成は、本願発明１の「前記複数のサブ画素の各々は、当該サブ画素を駆動するためのトランジスタを有」することに相当する。
キ．引用発明１は、「駆動制御素子ＳＷ２のソース電極１１３と接続するコンタクトホールを設けた後、表示素子を構成する光反射性の第１電極１１７」「を形成」するものであるから、引用発明１は、「駆動制御素子ＳＷ２」と「第１電極１１７」が、「コンタクトホール」を介して接続される構成を有するものであることは明らかであり、当該構成は、本願発明１の「前記トランジスタのソース電極またはドレイン電極と前記下部電極とは、コンタクトホールにより接続され」ることに相当する。
ク．引用発明１の「平面視において、駆動制御素子ＳＷ２のソース電極１１３と第１電極１１７を接続するコンタクトホールは、隔壁１２０に重なる位置に形成される」ことは、本願発明１の「平面視において、前記コンタクトホールは、前記非表示部と重なる位置に形成され」ることに相当する。
ケ．引用発明１において、「補助配線１１８は、第１電極１１７とは隔壁１２０にて電気的に絶縁され、各表示素子Ｐの第１電極１１７を囲むよう格子状に設けられ」ることは、本願発明１において、「第１方向」が「画素の行方向および前記画素の列方向のいずれか一方である」ことを考慮すれば、本願発明１の「前記補助配線および前記複数の第２電極パターンの各々は、前記第１方向において隣り合う前記画素の間に配置されている」ことと、「前記補助配線は、第１方向において隣り合う前記画素の間に配置されている」点で一致するといえる。
コ．引用発明１の「表示装置」は、本願発明１の「表示装置」に相当する。
　したがって、両者は以下の一致点と相違点とを有する。 
　
〈一致点〉
「行列状に配置された複数の画素を有する表示パネルを備え、
　前記表示パネルは、
　隣り合う画素の間の領域である非表示部を有し、
　前記複数の画素の各々は、異なる色の複数のサブ画素を含み、
　前記複数のサブ画素の各々は、上部電極と、下部電極と、前記上部電極および前記下部電極の間に形成されるとともに当該画素に対応して形成された有機発光層とを含み、
　前記表示パネルは、前記有機発光層を区画するとともに前記非表示部に対応して形成された隔壁と、前記隔壁に覆われるように形成されるとともに前記上部電極と電気的に接続された補助配線とを有し、
　前記複数のサブ画素の各々は、当該サブ画素を駆動するためのトランジスタを有し、
　前記トランジスタのソース電極またはドレイン電極と前記下部電極とは、コンタクトホールにより接続され、
　平面視において、前記コンタクトホールは、前記非表示部と重なる位置に形成され、
　前記補助配線は、第１の方向において隣り合う前記画素の間に配置されている
　表示装置。」
〈相違点１〉
　本願発明１の「表示装置」は、「前記表示パネルに対向するタッチパネルと、を備え」、「前記タッチパネルは、
　前記画素の行方向および前記画素の列方向のいずれか一方である第１方向に沿って形成され、少なくとも一部分が金属である複数の第１電極パターンと、
　前記画素の行方向および前記画素の列方向のいずれか他方である第２方向に沿って形成され、少なくとも一部分が金属である複数の第２電極パターンとを有し、
　前記複数の第１電極パターンおよび前記複数の第２電極パターンの前記金属の部分は、平面視において、前記表示パネルの前記非表示部内に存在」するものであるのに対し、引用発明１の「表示装置」は「タッチパネル」を有するものではない点。
〈相違点２〉
　本願発明１は、「サブ画素」が、「（画素の行方向および前記画素の列方向のいずれか一方である）第１方向に沿って配置された」ものであるのに対し、引用発明１は、表示素子が「マトリクス状に配置」されるものであるものの、表示素子（サブ画素）が直線状に配置（第１方向に沿って配置）すると特定されたものではない点。
〈相違点３〉
　本願発明１は、「前記複数の第１電極パターンの各々は、前記第２方向において隣り合う前記サブ画素の間に配置され、かつ、平面視において、前記コンタクトホールに重ねて配置され、
　前記複数の第２電極パターンは、前記補助配線の上方に配置され、
　前記複数の第２電極パターンは、前記第１方向において隣り合う前記画素の間に配置されている」ものであるのに対し、引用発明１は、「タッチパネル」を有するものではない点。
（２）相違点についての判断
　事案に鑑みて、上記相違点１及び３について先に検討する。
　まず、引用発明２と本願発明１との対応について検討する。
ア．引用発明２の「タッチパネル１０」は、「ディスプレイ２０に取り付けられ」ものであるから、本願発明１の「表示パネルに対向するタッチパネル」に相当する。
イ．引用発明２の「第１電極１４と第２電極１８は、線条の導体であり、その導体が複数並列に並べられ、第１電極１４と第２電極１８とは互いに直交する方向を向いており、第１電極１４と第２電極１８は、導電性のナノ粒子を含むインクによって印刷形成され、導電性のナノ粒子は銀、金、白金、パラジウム、銅、カーボン、またはそれらの混合物を含むもの」であり、「ディスプレイ２０は複数の画素２２を有し、画素２２および画素２２を構成するサブ画素２４の間にクロム系材料で形成されたブラックマトリクス２６を有し」、「タッチパネル１０がディスプレイ２０に取り付けられた状態で両電極１４，１８がブラックマトリクス２６の上に配置される」ものであることは、本願発明１の「前記画素の行方向および前記画素の列方向のいずれか一方である第１方向に沿って形成され、少なくとも一部分が金属である複数の第１電極パターンと、
　前記画素の行方向および前記画素の列方向のいずれか他方である第２方向に沿って形成され、少なくとも一部分が金属である複数の第２電極パターンとを有し、
　前記複数の第１電極パターンおよび前記複数の第２電極パターンの前記金属の部分は、平面視において、前記表示パネルの前記非表示部内に存在」することに相当する。
ウ．引用発明２の「ディスプレイ２０」は、本願発明１の「表示装置」に相当する。
　したがって、引用発明２は本願発明１と、
「前記表示パネルに対向するタッチパネルを備え、
　前記タッチパネルは、
　前記画素の行方向および前記画素の列方向のいずれか一方である第１方向に沿って形成され、少なくとも一部分が金属である複数の第１電極パターンと、
　前記画素の行方向および前記画素の列方向のいずれか他方である第２方向に沿って形成され、少なくとも一部分が金属である複数の第２電極パターンとを有し、
　前記複数の第１電極パターンおよび前記複数の第２電極パターンの前記金属の部分は、平面視において、前記表示パネルの前記非表示部内に存在する
　表示装置。」
である点で一致する。
　そして、引用発明１及び引用発明２は共に、平面表示装置に関する発明であり、引用発明１において、表示装置に対向するタッチパネルを設けることを阻害する格別な事情も存在しないから、引用発明１に引用発明２を適用して、本願発明１の相違点１に係る構成を得ることは、当業者が容易になし得たことと認められる。
　しかしながら、引用発明１に引用発明２を適用したものは、タッチパネルを構成する第１電極パターンおよび第２電極パターンが表示パネルの非表示部内に存在するものとなるものの、引用発明１に引用発明２を適用したものは、表示パネルの非表示部内の任意の位置に第１電極パターンおよび第２電極パターンを設けるものであり、「第１電極パターン」を平面視において「コンタクトホールに重ねて配置」し、「第２電極パターン」を「補助電極の上方に配置」するという、相違点３に係る構成までが、引用発明１及び引用発明２より容易であるということはできない。
　したがって、本願発明１は、相違点２を検討するまでもなく、当業者であっても引用発明１及び引用発明２に基づいて容易に発明できたものであるとはいえない。
２．請求項２−６について
　本願発明２−６は、本願発明１を直接又は間接的に引用するものであり、上記「１．請求項１について」にて述べたのと同様の理由により、引用発明及び引用発明２に基づいて容易に発明できたものであるとはいえない。
３．請求項７−８について
　本願発明７は、平成２８年１０月１７日付け手続補正による補正前の請求項９を独立項として記載したもの、本願発明８は、平成２８年１０月１７日付け手続補正による補正前の請求項１０を独立項として記載したものであり、上記補正前の請求項９および請求項１０に係る発明は、引用発明１及び引用発明２に基づいて容易に発明できたものであるとはいえないから、本願発明７および本願発明８は、引用発明１及び引用発明２に基づいて容易に発明できたものであるとはいえない。
４．請求項９−１１について
　本願発明９−１１は、請求項１，７，８を直接又は間接的に引用するものであるから、請求項１，７，８と同様の理由により、引用発明１及び引用発明２に基づいて容易に発明できたものであるとはいえない。
第６　原査定について
　審判請求時の補正により、本願発明１−６は「複数の第１電極パターンの各々は、前記第２方向において隣り合う前記サブ画素の間に配置され、かつ、平面視において、前記コンタクトホールに重ねて配置され」るという事項を有するものとなっており、当業者であっても、拒絶査定において引用された引用文献１−２に基づいて、容易に発明できたものとはいえない。
　したがって、原査定の理由を維持することはできない。
第７　むすび
　以上のとおり、本願発明１−１１は、当業者が引用発明１及び引用発明２に基づいて容易に発明することができたものではない。
　したがって、原査定の理由によっては、本願を拒絶することはできない。
　また、他に本願を拒絶すべき理由を発見しない。
　よって、結論のとおり審決する。